(57)【要約】【課題】ユーザの走行目的に応じた情報を指示することができる情報提示装置、情報提示方法、情報提示プログラムおよび情報提示プログラムを格納した記録媒体を提供する。【解決手段】端末部１０で選択されたコースの地形情報に基づいて、同様に端末部１０で選択されたモードに適切な区間をサーバ部２０で決定し、サーバ部２０は決定された区間におけるモードに適切な走行ペースを算出して端末部１０に出力し、端末部１０では現在走行している地点における走行ペースと、サーバ部２０から送信されてきた走行ペースとを比較して、差がある場合には差を少なくするように提示する。【選択図】図１
2012177871.tif 000002
【特許請求の範囲】
【請求項１】
地形情報を含む地図情報が格納されている地図情報格納手段と、
利用者の走行目的を設定する目的設定手段と、
前記目的設定手段に設定された前記利用者の走行目的に応じた前記地図情報上の走行区間を、前記地形情報に基づいて決定する区間決定手段と、
前記区間決定手段により決定された前記走行区間を提示する提示手段と、
を備えていることを特徴とする情報提示装置。
【請求項２】
前記区間決定手段により決定された前記走行区間における走行ペースを算出する走行ペース算出手段と、
前記利用者が運転する自転車の走行情報を取得する走行情報取得手段をさらに備え、
前記提示手段は、前記走行ペース算出手段で算出された前記走行ペースと前記走行情報取得手段が取得した前記走行情報から算出された前記走行ペースとを比較して、前記走行ペース算出手段で算出された前記走行ペースと前記走行情報から算出された前記走行ペースとに差が生じた場合は、前記走行ペース算出手段で算出された前記走行ペースに近づくように提示を行うことを特徴とする請求項１に記載の情報提示装置。
【請求項３】
前記地図情報格納手段は、コース情報を更に含み、
前記提示手段は、前記区間設定手段により決定された前記走行区間に基づいて、前記走行目的に応じた前記コースを提示する、
ことを特徴とする請求項１または２に記載の情報提示装置。
【請求項４】
前記地図情報格納手段は、コース情報を更に含み、
前記提示手段は、前記区間設定手段により決定された前記走行区間に基づいて選択された前記コースに応じた走行目的を提示する、
ことを特徴とする請求項１または２に記載の情報提示装置。
【請求項５】
前記提示手段は、前記自転車のペダルの回転数および変速機のギア比を提示することを特徴とする請求項２乃至４のうちいずれか一項に記載の情報提示装置。
【請求項６】
前記走行情報が、前記自転車のペダルの回転数および走行速度であることを特徴とする請求項２乃至５のうちいずれか一項に記載の情報提示装置。
【請求項７】
前記走行目的に適切な区間が無い場合には、当該走行目的に適切な負荷が前記ペダルにかかるように前記走行ペース算出手段において前記走行ペースを算出し、前記提示手段が算出された前記走行ペースを提示することを特徴とする請求項１乃至６のうちいずれか一項に記載の情報提示装置。
【請求項８】
利用者の走行目的を設定する目的設定ステップと、
前記目的設定ステップに設定された前記利用者の走行目的に応じた地図情報格納手段に格納されている地図情報上の走行区間を、前記地図情報に含まれている地形情報に基づいて決定する区間決定ステップと、
前記区間決定ステップにおいて決定された走行区間を提示する提示ステップと、
を備えていることを特徴とする情報提示方法。
【請求項９】
地形情報を含む地図情報が格納されている地図情報格納手段と、
利用者の走行目的を設定する目的設定手段と、
前記目的設定手段に設定された前記利用者の走行目的に応じた前記地図情報上の走行区間を、前記地形情報に基づいて決定する区間決定手段と、
前記区間決定手段により決定された走行区間を提示する提示手段と、
してコンピュータを機能させることを特徴とする情報提示プログラム。
【請求項１０】
請求項９に記載の情報提示プログラムを格納したことを特徴とするコンピュータ読み取り可能な記録媒体。
【発明の詳細な説明】
【技術分野】
【０００１】
本発明は、自転車やジョギングなどで健康増進やトレーニング等を行う際に走行ペースなどの情報を提示する情報提示装置、情報提示方法、情報提示プログラムおよび情報提示プログラムを格納した記録媒体に関する。
【背景技術】
【０００２】
自転車は単なる移動手段としてだけでなく、健康増進のための手段として使用したり、各種のレースなどに使用したりすることがある。
【０００３】
しかし、これらの目的を達成するためにはどのような乗り方をすればよいのかが分からないユーザも多く、思うような成果が得られない場合が多かった。また、健康増進の中でも脂肪燃焼や基礎体力づくり、レースに参加するためのトレーニングの中でもヒルクライム練習やスプリント練習など、目的によって乗り方が異なる場合もあり、例えば、いつもとは違う目的に変更して乗る場合や、複数の目的を組み合わせて乗る場合、どうすれば効果がある乗り方となるのかが分からないため、結果的には同じような走行しかできず、効果が得られないという問題があった。
【０００４】
また、ジョギングなどの自転車を使用しない場合でも、マラソン大会に出場するためのトレーニングと、単なる健康増進とでは、走行ペースや適切なコースなどが異なる場合があり、自転車の場合と同様に、どうすれば効果がある走り方となるのかが分からないため、結果的には同じような走行しかできず、効果が得られないという問題があった。
【０００５】
ここで、特許文献１には、電動アシスト自転車のアシスト量を変更することで、画面に表示されたコースに合った負荷をペダルに与えることで、ユーザに天候や夜間などの環境に関わらず安全に適切な運動を楽しむことができるバーチャルサイクリング装置が記載されている。
【先行技術文献】
【特許文献】
【０００６】
【特許文献１】特開２００５−２１３９１号公報
【発明の概要】
【発明が解決しようとする課題】
【０００７】
特許文献１に記載されたバーチャルサイクリング装置では、屋内でサイクリングを擬似的に体験するための装置であり、実際の路上を走行することを想定していない。また、ペダル負荷の変更もコースに合った変更（上り坂であれば重くする）であり、上述したトレーニングなどのユーザの走行目的については何ら考慮されていない。勿論ジョギングなど自転車を使用しない場合は考慮されていない。したがって、走行目的に合った走り方などの情報を提示することはできない。
【０００８】
そこで、本発明は、例えば、ユーザの走行目的に応じた情報を提示することができる情報提示装置、情報提示方法、情報提示プログラムおよび情報提示プログラムを格納した記録媒体を提供することを課題とする。
【課題を解決するための手段】
【０００９】
上記課題を解決するために、請求項１に記載の情報提示装置は、地形情報を含む地図情報が格納されている地図情報格納手段と、利用者の走行目的を設定する目的設定手段と、前記目的設定手段に設定された前記利用者の走行目的に応じた前記地図情報上の走行区間を、前記地形情報に基づいて決定する区間決定手段と、前記区間決定手段により決定された走行区間を提示する提示手段と、を備えていることを特徴としている。
【００１０】
請求項８に記載の情報提示方法は、利用者の走行目的を設定する目的設定ステップと、前記目的設定ステップに設定された前記利用者の走行目的に応じた地図情報格納手段に格納されている地図情報上の走行区間を、前記地図情報に含まれている地形情報に基づいて決定する区間決定ステップと、前記区間決定ステップにおいて決定された走行区間を提示する提示ステップと、を備えていることを特徴としている。
【００１１】
請求項９に記載の情報提示プログラムは、地形情報を含む地図情報が格納されている地図情報格納手段と、利用者の走行目的を設定する目的設定手段と、前記目的設定手段に設定された前記利用者の走行目的に応じた前記地図情報上の走行区間を、前記地形情報に基づいて決定する区間決定手段と、前記区間決定手段により決定された走行区間を提示する提示手段と、してコンピュータを機能させることを特徴としている。
【図面の簡単な説明】
【００１２】
【図１】本発明の第１の実施例にかかる情報提示装置のブロック図である。
【図２】図１に示された情報提示装置の端末部において、これから走行するコースやモードを選択する際の動作を示したフローチャートである。
【図３】図１に示された情報提示装置の端末部で選択されたモードやコースに基づいてモード毎の区間割り当てや負荷を算出する際の動作を示したフローチャートである。
【図４】図１に示された情報提示装置の端末部において、サーバ部から送信されてきたモード毎の区間の割り当て情報と負荷の情報を受信して、実際にコースを走行している際の動作を示したフローチャートである。
【図５】図１に示された情報提示装置のモードおよびコース選択時の動作例を示した説明図である。
【図６】図１に示された情報提示装置の走行時の動作例を示した説明図である。
【図７】本発明の第２の実施例にかかる情報提示装置のブロック図である。
【発明を実施するための形態】
【００１３】
以下、本発明の一実施形態にかかる情報提示装置を説明する。本発明の一実施形態にかかる情報提示装置は、区間決定手段で、目的設定手段に設定された利用者の走行目的に応じた地図情報上の走行区間を、地図情報格納手段に含まれる地形情報に基づいて決定し、提示手段で、区間決定手段により決定された走行区間を提示するので、走行目的に応じて適切な走行区間を決定して、ユーザに提示することができる。
【００１４】
また、区間決定手段により決定された走行区間における走行ペースを算出する走行ペース算出手段と、利用者が運転する自転車の走行情報を取得する走行情報取得手段をさらに備え、提示手段は、走行ペース算出手段で算出された走行ペースと走行情報取得手段が取得した走行情報から算出された走行ペースとを比較して、走行ペース算出手段で算出された走行ペースと走行情報から算出された走行ペースとに差が生じた場合は、走行ペース算出手段で算出された走行ペースに近づくように提示を行ってもよい。このようにすることにより、実際の走行ペースが走行目的に合うように算出された走行ペースと異なる場合は、その旨をユーザに情報として提示して、走行目的に合うように算出された走行ペースに合わせるように指示することができる。
【００１５】
また、地図情報格納手段は、コース情報を更に含み、提示手段は、区間設定手段により決定された走行区間に基づいて、走行目的に応じたコースを提示するようにしてもよい。このようにすることにより、走行目的に合ったコースを自動的に提示して、より効果的な走行をすることができる。
【００１６】
また、地図情報格納手段は、コース情報を更に含み、提示手段は、区間設定手段により決定された走行区間に基づいて選択されたコースに応じた走行目的を提示するようにしてもよい。このようにすることにより、コースに合った走行目的を自動的に提示して、より効果的な走行をすることができる。
【００１７】
また、提示手段は、自転車のペダルの回転数と変速機のギア比を提示してもよい。このようにすることにより、走行ペース算出手段で算出された走行ペースとして自転車のペダルの回転数と変速機のギア比をユーザに提示することができる。
【００１８】
また、走行情報が、自転車のペダルの回転数および走行速度であってもよい。このようにすることにより、自転車のペダルの回転数や走行速度から現在の変速機のギア比を推測することができ、提示手段において走行ペース算出手段で算出された走行ペースを比較し易くなる。
【００１９】
また、区間決定手段で走行目的に適切な区間が無い場合には、当該走行目的に適切な負荷がペダルにかかるように走行ペース算出手段において走行ペースを算出し、提示手段が算出しされた走行ペースを提示してもよい。このようにすることにより、走行目的に合った地形がコース上に無い場合はペダルにかかる負荷を調整することで走行目的にあった地形を走るのと同等な効果を得ることができ、また、ユーザは、いつも走り慣れたコースで様々な走行目的の走行をすることができる。
【００２０】
また、本発明の一実施形態にかかる情報提示方法は、区間決定ステップで、目的設定ステップで設定された利用者の走行目的に応じた地図情報上の走行区間を、地図情報格納手段に含まれる地形情報に基づいて決定し、提示ステップで、区間決定ステップにおいて決定された走行区間を提示するので、走行目的に応じて適切な走行区間を決定して、ユーザに提示することができる。
【００２１】
また、本発明の一実施形態にかかる情報提示プログラムは、区間決定手段で、目的設定手段に設定された利用者の走行目的に応じた地図情報上の走行区間を、地図情報格納手段に含まれる地形情報に基づいて決定し、提示手段で、区間決定手段により決定された走行区間を提示するので、走行目的に応じて適切な走行区間を決定して、ユーザに提示することができる。
【００２２】
また、上述した情報提示プログラムをコンピュータ読み取り可能な記録媒体に格納してもよい。このようにすることにより、当該プログラムを機器に組み込む以外に単体でも流通させることができ、バージョンアップ等も容易に行える。
【実施例１】
【００２３】
本発明の第１の実施例にかかる情報提示装置１を図１乃至図６を参照して説明する。情報提示装置１は図１に示すように、端末部１０と、サーバ部２０と、から構成されている。端末部１０は自転車のハンドルなどに取り付けられ、コースやモード（走行目的）の選択を行ったり、サーバ部２０から送信されてきた走行ペースと走行情報受信手段１４が受信したペダルの回転数や速度などの情報に基づいてユーザに走行ペースの変更等の情報を提示する。サーバ部２０は、事業所などに設置されたコンピュータなどで構成され、端末部１０から選択されたコースやモードに応じた走行ペースの算出や、コース情報および走行履歴の蓄積を行う。
【００２４】
また、図１に記載の情報提示装置１の構成は、一例でありこれに限られるものではない。図１は、情報提示装置１が備える各構成部を端末部１０とサーバ部２０とに分けて備えてもよいことを示しており、例えば、サーバ部２０を構成する一部を、端末部１０が備えることとしてもよいし、逆に端末部１０を構成する一部をサーバ部２０が備えることとしてもよい。
【００２５】
端末部１０は、ＧＰＳ受信部１１と、現在地・日時算出部１２と、操作部１３と、走行情報受信部１４と、制御部１５と、通信部１６と、比較部１７と、表示部１８と、スピーカ１９と、を備えている。
【００２６】
ＧＰＳ受信部１１は、複数のＧＰＳ（Global Positioning System）衛星から、緯度及び経度情報や時間情報等の測位用データを含む電波を定期的に受信して現在地・日時算出部１２に出力する。なお、現在地を検出する手段としてはＧＰＳに限らず、自立センサ（角速度センサ）などを用いてもよいし、日時を算出するために時計機能を内蔵してもよい。
【００２７】
現在地・日時算出部１２は、ＧＰＳ受信部１１が受信した測位用データから、現在地の座標（緯度、経度）および日時を算出し、現在地の座標および日時を制御部１５へ出力する。
【００２８】
目的設定手段としての操作部１３は、複数のボタン等の入力手段で構成されている。そして、操作部１３は、表示部１８に表示されているコースやモードを選択し、その操作情報が制御部１５に出力される。また、操作部１３はタッチパネルで構成してもよい。
【００２９】
走行情報取得手段としての走行情報受信部１４は、本端末部１０が取り付けられた自転車の走行情報としてペダルの回転数と走行速度を受信し、比較部１７へ出力する。ペダルの回転数は、例えば特許文献１に記載されているようなロータリエンコーダを用いた光学式のセンサを用いて検出すればよい。走行速度は、例えば自転車の車輪の回転数を検出してその回転数と予め設定された車輪径から算出すればよい。
【００３０】
制御部１５は、端末部１０の全体制御を司り、操作部１３から入力された操作情報を通信部１６へ送信するとともに、通信部１６が受信したモード毎の走行区間割り当ておよび走行ペース情報を比較部１７へ出力する。
【００３１】
通信部１６は、サーバ部２０の通信部２１と無線通信を行う。通信部１６は、操作部１３から入力された操作情報をサーバ部２０へ送信するとともに、サーバ部２０から送信されるモード毎の走行区間割り当ておよび走行ペース情報を受信して制御部１５へ出力する。
【００３２】
提示手段としての比較部１７は、走行情報受信部１４が受信した走行情報および現在地・日時算出部１２が算出した現在地と、サーバ部２０から受信したモード毎の走行区間割り当ておよび走行ペース情報と、を比較し、比較結果に応じて、ペダル回転数や変速機のギア比の変更などを表示部１８やスピーカ１９を通して提示する。
【００３３】
提示手段としての表示部１８は、例えば液晶ディスプレイなどで構成され、コースやモードを選択する際のインタフェース画面や、走行中の現在の走行速度、ペダル回転数、変速機のギア比や比較部１７で行われた比較結果に基づく提示情報などが表示される。
【００３４】
スピーカ１９は、比較部１７における比較結果に基づく提示を音声として出力したり、コースやモードを設定する際のガイダンス音声や操作時の確認音等を出力する。
【００３５】
サーバ部２０は、通信部２１と、各モード区間・走行ペース算出部２２と、走行履歴・コース蓄積部２３と、を備えている。
【００３６】
通信部２１は、端末部１０の通信部１６と無線通信を行う。端末部１０から送信される操作情報を各モード区間・走行ペース算出部２２に出力するとともに、各モード区間・走行ペース算出部２２で算出されたモード毎の走行区間割り当ておよび走行ペース情報を端末部１０へ出力する。
【００３７】
区間決定手段、走行ペース算出手段としての各モード区間・走行ペース算出部２２は、通信部２１を介して送信されてきた操作情報に基づいて、走行履歴・コース蓄積部２３からコースの地図情報や地形情報を読み出して、コースの地形情報に基づき選択されたモードのコース内における走行区間割り当てや割り当てた走行区間における走行ペースを算出して、通信部２１を介して端末部１０へ出力する。
【００３８】
地図情報格納手段としての走行履歴・コース蓄積部２３は、例えばハードディスクドライブなどで構成され、ユーザが自転車で走行するコース（地図情報）やそのコースの走行履歴が蓄積されている。コースは、例えば端末部１０から現在地・日時算出部１２で算出された現在地の情報も送信させるようにして、その移動軌跡をコースとして登録してもよいし、予め地図上のサイクリングコースなどをコースとして登録してもよい。また、コース情報には地形情報として標高情報も含まれている。この標高情報は走行中に気圧計などで取得してもよいし、各地点の標高情報が蓄積された図示しないデータベース等にアクセスして取得してもよい。
【００３９】
次に、上述した構成の情報提示装置１の動作を図２乃至図４を参照して説明する。図２は、端末部１０において、これから走行するコースやモードを選択する際の動作を示したフローチャートである。図２に示したフローチャートは制御部１５で実行される。
【００４０】
まず、ステップＳ１１において、モード（走行目的）またはコースのどちらを設定するかを決めて、コースを設定する場合はステップＳ１２に進み、モードを設定する場合はステップＳ１５に進む。本ステップでは例えば、表示部１８の画面上でどちらを設定するかを選択させてもよいし、コースもモードも設定可能な画面構成として先に設定した方を認識して次のステップへ進むようにしてもよい。
【００４１】
次に、コース選択ステップとしてのステップＳ１２において、コースを選択してステップＳ１３に進む。本ステップでは操作部１３における選択操作情報が通信部１６を介してサーバ部２０に送信される。
【００４２】
次に、ステップＳ１３において、自動選択が設定されているか否かを判断し、設定されている場合（Ｙの場合）はステップＳ１８に進み、設定されていない場合（Ｎの場合）はステップＳ１４に進む。自動選択とは、コースおよびモードのうちいずれか一方が設定された場合は、残りの他方はそのコースまたはモードに合ったモードまたはコースが自動的に選択されるようになる機能であり予め有効にするか否かを設定する。
【００４３】
次に、目的選択ステップとしてのステップＳ１４においては、モードを選択して終了する。本ステップでは操作部１３における選択操作情報が通信部１６を介してサーバ部２０に送信される。
【００４４】
一方、目的選択ステップとしてのステップＳ１５においては、モードを選択してステップＳ１６に進む。本ステップでは操作部１３における選択操作情報が通信部１６を介してサーバ部２０に送信される。
【００４５】
次に、ステップＳ１６において、自動選択が設定されているか否かを判断し、設定されている場合（Ｙの場合）はステップＳ１８に進み、設定されていない場合（Ｎの場合）はステップＳ１７に進む。本ステップでもステップＳ１３と同様に自動選択が設定されているかを判断している。
【００４６】
次に、コース選択ステップとしてのステップＳ１７において、コースを選択して終了する。本ステップでは操作部１３における選択操作情報が通信部１６を介してサーバ部２０に送信される。
【００４７】
ステップＳ１８においては、サーバ部２０に対してモードまたはコースの自動選択を要求してステップＳ１９に進む。
【００４８】
次に、ステップＳ１９において、ステップＳ１８で自動選択されたモードまたはコースに対してユーザが承諾したか否かを判断し承諾した場合（Ｙの場合）は終了し、承諾しない場合でコース選択済みの場合（Ｎ（コース選択済み）の場合）はステップＳ１４に進み、承諾しない場合でモード選択済みの場合（Ｎ（モード選択済み）の場合）はステップＳ１４に進む。本ステップでは、サーバ部２０で自動選択された結果が表示部１８に表示され、その結果に対してユーザが満足しない場合は手動で選択できるようにしている。
【００４９】
図３は、サーバ部２０において、端末部１０で選択されたモードやコースに基づいてモード毎の走行区間割り当てや走行ペースを算出する際の動作を示したフローチャートである。図３に示したフローチャートは各モード区間・走行ペース算出部で実行される。
【００５０】
まず、ステップＳ２１において、端末部１０でモードが選択済みであるか否かを判断し、選択済みである場合（Ｙの場合）はステップＳ２２に進み、選択済みで無い場合（Ｎの場合）はステップＳ２３に進む。本ステップでは、図２のステップＳ１４またはＳ１５でモード選択がなされたか否かを判断している。
【００５１】
次に、ステップＳ２２において、端末部１０でコースが選択済みであるか否かを判断し、選択済みである場合（Ｙの場合）はステップＳ２４に進み、選択済みで無い場合（Ｎの場合）はステップＳ２３に進む。本ステップでは、図２のステップＳ１２またはＳ１７でコース選択がなされたか否かを判断している。
【００５２】
次に、ステップＳ２３において、自動選択が行われてステップＳ２４に進む。本ステップでは、ステップＳ２１においてモードが選択済みでないとされた場合は、各モード区間・走行ペース算出部２２が、選択されたコースに合ったモードを自動的に選択する。或いは、ステップＳ２１においてコースが選択済みでないとされた場合は、選択されたモードに合ったコースを自動的に選択する。
【００５３】
次に、ステップＳ２４において、モードおよびコースが決定してステップＳ２５に進む。つまり、端末部１０からの選択操作または自動選択動作によってモードとコースが決定される。
【００５４】
次に、区間決定ステップとしてのステップＳ２５において、モード毎の走行区間割り当てを行ってステップＳ２６に進む。本ステップでは、各モード区間・走行ペース算出部２２が、選択されたコースにおいて、そのコースの地形情報を走行履歴・コース蓄積部２３から読み出して、その地形情報に基づいて選択されたモードをコース上のどの走行区間に割り当てるのが適当かを算出している。即ち、操作部１３に設定された利用者の走行目的に応じた走行区間を、地形情報に基づいて決定している。
【００５５】
次に、ステップＳ２６において、各走行区間の走行ペースを算出してステップＳ２７に進む。本ステップでは、各モード区間・走行ペース算出部２２が、ステップＳ２５でコースの地形情報に基づいて割り当てられた走行区間におけるモードに応じた適切な走行ペースを算出している。この走行ペースとは、例えば自転車のペダル回転数や変速機のギア比などである。
【００５６】
次に、ステップＳ２７において、ステップＳ２５で割り当てたモード毎の走行区間割り当て結果と、各走行区間の走行ペースを、各モード区間・走行ペース算出部２２から通信部２１を介して端末部１０に送信して終了する。
【００５７】
ここで、図２および図３に示したフローチャートが動作例を図５を参照して説明する。図５は、端末部１０の表示部１８の設定時の表示例である。図５において、表示部１８の表示画面はコース表示部１８１とモード表示部１８２とから構成されている。コース表示部１８１は、任意に付与可能なコース名が表示されるコース名表示部１８１ａと、コースを示した地図が表示されるコース表示部１８１ｂと、コースの標高の変化が表示されるコース標高表示部１８１ｃと、から構成されている。モード表示部１８２は、選択可能なモードが表形式で表示され、各モードの横には選択された場合に丸印が表示される選択欄が設けられている。
【００５８】
図５では、まず図２のステップＳ１２が実行されてコース００３という名称のコースが選択されている。コースが選択されると、当該コースの地図と標高図がコース表示部１８１ｂとコース標高表示部１８１ｃに表示される。この表示データはサーバ部２０で走行履歴・コース蓄積部２３から地図情報や標高情報を読み出して、各モード区間・走行ペース算出部２２で図５のような表示データを生成して端末部１０へ送信している。
【００５９】
そして、図５の例では自動選択を行わずにステップＳ１４でユーザが脂肪燃焼とヒルクライムの２つのモードを選択している。サーバ部２０側では、図３のステップＳ２１、Ｓ２２では「Ｙ」が選択され、ステップＳ２４でモードとコースが決定する。そして、ステップＳ２５でモード毎の走行区間割り当てが行われる。図５の例では、選択されたモードである脂肪燃焼とヒルクライムそれぞれに適切な走行区間を選択されたコース００３の地形情報（標高情報など）から算出して、上り坂の部分をヒルクライム、ヒルクライム以外の走行区間を脂肪燃焼に割り当て、各モードの割り当て結果はコース表示部１８１ｂとコース標高表示部１８１ｃに表示されている。
【００６０】
そして、ステップＳ２６では、各走行区間内における当該モードに適切な走行ペースを算出する。この走行ペースは当該走行区間内で一つの値に限らず、複数の値に変化するようにしてもよい。そして、ステップＳ２７で算出されたモード毎の走行区間の割り当て情報と走行ペースの情報を端末部１０に送信して、実際にコースを走行する前の準備が整う。
【００６１】
なお、各モードの走行区間の割り当て際に、走行開始直後に「ウォーミングアップモード」、走行終了直前に「クールダウンモード」を設定し、それぞれ徐々に運動強度が大きく、小さくなるように走行ペースを提示してもよい。
【００６２】
また、図５の例では、モードとしてヒルクライムが選択され、コース上に上り坂が存在したが、コースによっては存在しない場合もある。その場合は、走行ペースとしてギアの段数を上げて（即ち、変速機のギア比を大きくして）ペダル負荷を重くし、かつ、ペダル回転数を高回転する。このようにすることで、平坦なコースでもヒルクライムモードに適切な走行ペースを提示することができる。つまり、選択されたモードに合った地形が選択されたコース上に無い場合は、変速機のギア比とペダル回転数を調節して当該モードにあったペダル負荷となるように走行ペースを設定する。
【００６３】
図４は、端末部１０において、サーバ部２０から送信されてきたモード毎の走行区間の割り当て情報と走行ペースの情報を受信して、実際にコースを走行している際の動作を示したフローチャートである。図４に示したフローチャートは制御部１５で実行される。
【００６４】
まず、ステップＳ３１において、サーバ部２０からモード毎の走行区間の割り当て情報と走行ペースの情報を受信してステップＳ３２に進む。受信したモード毎の走行区間の割り当て情報と走行ペースの情報は比較部１７へ出力され、比較部１７内のメモリ等に格納される。
【００６５】
次に、ステップＳ３２において、現在地・日時算出部１２に現在地を算出させてステップＳ３２に進む。
【００６６】
次に、ステップＳ３３において、走行情報受信部１４から走行情報（ペダル回転数、走行速度）を受信させてステップＳ３４に進む。
【００６７】
次に、ステップＳ３４において、比較部１７に現在地におけるサーバ部２０から受信した走行ペース情報と走行情報に差があるか否かを判断させ、ある場合（Ｙの場合）はステップＳ３５に進み、ない場合（Ｎの場合）はステップＳ３２に戻る。この走行ペース情報は、ペダルの回転数や変速機のギア比であるので、比較部１７において、受信した走行情報であるペダルの回転数および走行情報のペダルの回転数と走行速度から算出した変速機のギア比と前記走行ペース情報とを比較させ、差があるか否かを判断している。
【００６８】
次に、ステップＳ３５において、サーバ部２０から受信した走行ペース情報に近づくようにユーザに提示してステップＳ３６に進む。本ステップでは、比較部１７が、ステップＳ３４における比較結果に基づいて、表示部１８やスピーカ１９を通してユーザに対する提示する情報を出力している。
【００６９】
次に、ステップＳ３６において、選択されたコースの走行が終了したか否かを判断し、終了した場合（Ｙの場合）は本フローチャートを終了し、コースの走行が終了していない場合（Ｎの場合）はステップＳ３２に戻る。
【００７０】
ここで、図４に示したフローチャートが動作例を図６を参照して説明する。図６は、端末部１０の走行中の表示部１８の表示例である。図６において、表示部１８の表示画面はモード区間表示部１８３と速度表示部１８４とペダル回転数表示部１８５とユーザ提示部１８６とから構成されている。モード区間表示部１８３は、現在走行している走行区間におけるモードを表示している。速度表示部１８４は、現在の走行情報受信部１４が受信した走行速度が表示される。ペダル回転数表示部１８５は、現在の走行情報受信部１４が受信したペダル回転数（Ｃａｄｅｎｃｅ）が表示される。ユーザ提示部１８６は、ユーザへの提示情報が表示される。
【００７１】
図６では、モード区間表示部１８３と速度表示部１８４とペダル回転数表示部１８５には、それぞれ、現在の走行におけるモードと速度とペダル回転数が表示される。そして、サーバ部２０から受信した走行ペース情報と現在の走行情報に差があると、ユーザ提示部１７６には図示したようにユーザへの提示情報が表示される。図６の場合は、ギアの段数を落として（即ち、変速機のギア比を小さくして）、ペダルの回転数を上げるようことが提示されている。また、この提示を行った際にペダル回転数表示部１８５のペダル回転数の横に矢印などでペダル回転数を上げることを示す表示を行ってもよい。図６の例ではサーバ部２０で算出された走行ペース情報と実際の走行ペースとに差があった場合であるが、差が無い場合は、「そのペースを維持しましょう」などのメッセージを表示してもよいし、コースの地図と現在地を表示するなど提示情報以外の情報を表示してもよい。
【００７２】
本実施形態によれば、端末部１０で選択されたコースの地形情報に基づいて、同様に端末部１０で選択されたモードに適切な走行区間をサーバ部２０で決定し、サーバ部２０は決定された走行区間におけるモードに適切な走行ペースを算出して端末部１０に出力し、端末部１０では現在走行している地点における走行ペースと、サーバ部２０から送信されてきた走行ペースとを比較して、差がある場合には差を少なくするように提示するので、モードに応じた走行区間と、その走行区間に応じて適切な走行ペースと、を算出して、ユーザに提示することができる。
【００７３】
また、自動選択機能を備え、その自動選択機能が有効に設定されている場合は、モードがコースのいずれか一方を選択するのみで残りの他方が自動的に選択されるので、モードに合ったコースや、コースに合ったモードを選択して、より効果的な乗り方をすることができる。
【００７４】
なお、上述した実施形態では、端末部１０とサーバ部２０とで構成していたが、端末部で行っていたモードとコースの選択を他のパソコンやスマートフォンなどで行うように構成してもよい。モードとコースの選択時においては、選択画面（例えば図５）は端末部１０に表示されるものの選択されたモードやコースに基づく処理自体はサーバ部２０内部でなされるので、端末部１０に限らずパソコンやスマートフォンからサーバ部２０にアクセスして行っても構わない。そして、パソコンやスマートフォンから選択されたモードとコースに基づいて算出されたモード走行区間割り当てと走行ペース情報はサーバ部２０から端末部１０へ直接送信してもよいし、パソコンやスマートフォンを一旦介して端末部１０へ送信するようにしてもよい。
【実施例２】
【００７５】
次に、本発明の第２の実施例にかかる情報提示装置１´を図７を参照して説明する。なお、前述した第１の実施例と同一部分には、同一符号を付して説明を省略する。
【００７６】
本実施例では、端末部１０とサーバ部２０に分かれていたものを一つに纏めた点が第１の実施例と異なる。即ち、図１から通信部１６、２１を削除し、現在地・日付算出部１２および操作部１３の入力が直接各モード区間・走行ペース算出部２２に入力され、各モード区間・走行ペース算出部２２の出力が直接比較部１７に出力される。そして、制御部１５で実行されていた図２や図４のフローチャートはモード区間・走行ペース算出部２２が行う。
【００７７】
本実施例によれば、全ての機能を内蔵しているので、外部との通信部は自身の現在地を算出するためのＧＰＳ受信部１１のみとなる。そのために、外部との通信状況に左右されずにコースやモードの設定が可能となる。
【００７８】
なお、上述した二つの実施例では、自転車用の情報提示装置１を説明したが、ジョギングやウォーキング時などに用いる利用者が直接身に付ける形態の端末に適用することもできる。その場合は、ジョギングやウォーキングなどの際に走行目的に合ったコースを地形を考慮して決定し提示することができる。
【００７９】
また、上述した情報提示装置１または１´の現在地・日時算出部１２と、操作部１３と、走行情報受信部１４と、制御部１５と、通信部１６と、比較部１７と、各モード区間・走行ペース算出部２２と、走行履歴コース蓄積部２３と、をコンピュータで動作するプログラムとして構成することで、本発明を情報提示プログラムとして構成することができる。なお、上述した第１の実施例に示したように端末部１０とサーバ部２０とに分かれて構成する場合は、勿論２つのコンピュータにそれぞれの機能（端末部１０、サーバ部２０）を実現するようなプログラムとすればよい。
【００８０】
前述した実施例によれば、以下の情報提示装置１、情報提示方法および情報提示プログラムが得られる。
【００８１】
（付記１）地形情報を含む地図情報が格納されている走行履歴・コース蓄積部２３と、
利用者の走行目的を設定する操作部１３と、
操作部１３に設定された利用者の走行目的に応じた地図情報上の走行区間を、地形情報に基づいて決定する各モード区間・走行ペース算出部２２と、
各モード区間・走行ペース算出部２２により決定された走行区間を提示する比較部１７、表示部１８と、
を備えていることを特徴とする情報提示装置１。
【００８２】
（付記２）利用者の走行目的を設定するステップＳ１４、Ｓ１５と、
ステップＳ１４、Ｓ１５に設定された利用者の走行目的に応じた走行履歴・コース蓄積部２３に格納されている地図情報上の走行区間を、地図情報に含まれいている地形情報に基づいて決定するステップＳ２５と、
ステップＳ２５において決定された走行区間を提示するステップＳ３５と、
を備えていることを特徴とする情報提示方法。
【００８３】
（付記３）地形情報を含む地図情報が格納されている走行履歴・コース蓄積部２３と、
利用者の走行目的を設定する操作部１３と、
操作部１３に設定された利用者の走行目的に応じた地図情報上の走行区間を、地形情報に基づいて決定する各モード区間・走行ペース算出部２２と、
各モード区間・走行ペース算出部２２により決定された走行区間を提示する比較部１７、表示部１８と、
してコンピュータを機能させることを特徴とする情報提示プログラム。
【００８４】
これらの情報提示装置１、情報提示方法および情報提示プログラムによれば、走行目的に応じて適切な走行区間を決定して、ユーザに提示することができる。
【００８５】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００８６】
１、１´  情報提示装置
１１      ＧＰＳ受信部
１２      現在地・日時算出部
１３      操作部（目的選択手段）
１４      走行情報受信部（走行情報取得手段）
１７      比較部（提示手段）
１８      表示部（提示手段）
２２      各モード区間・走行ペース算出部（区間決定手段、走行ペース算出手段）
２３      走行履歴・コース蓄積部（地図情報格納手段）
Ｓ１４、Ｓ１５   モード選択（目的選択ステップ）
Ｓ２５           モード毎の走行区間割り当て（区間決定ステップ）
Ｓ３５           受信した走行ペース情報に近づくように指示（提示ステップ）
【図１】
2012177871.tif 000003
【図２】
2012177871.tif 000004
【図３】
2012177871.tif 000005
【図４】
2012177871.tif 000006
【図５】
2012177871.tif 000007
【図６】
2012177871.tif 000008
【図７】
2012177871.tif 000009